(57)【要約】      （修正有）【課題】ボタン電池を用いる場合と比べて、ムーブメントを小型化かつ薄型化することが可能な電子時計を提供する。【解決手段】電子時計１は、外装ケース３０と、時刻を計時するための回路基板１１および側方に突出する巻真１９を含み、外装ケース３０内に配置されたムーブメント１０と、ムーブメント１０を駆動する電池２０とを有し、電池２０は、外装ケース３０の内壁に沿って延びる薄板形状を有し、ムーブメント１０の周方向における巻真１９の位置を避けて外装ケース３０内でムーブメント１０の中心を取り囲むように配置される。【選択図】図１
2020134141.tif 000002
【特許請求の範囲】
【請求項１】
外装ケースと、
時刻を計時するための回路基板および側方に突出する巻真を含み、前記外装ケース内に配置されたムーブメントと、
前記ムーブメントを駆動する電池と、を有し、
前記電池は、前記外装ケースの内壁に沿って延びる薄板形状を有し、前記ムーブメントの周方向における前記巻真の位置を避けて前記外装ケース内で前記ムーブメントの中心を取り囲むように配置されていることを特徴とする電子時計。
【請求項２】
前記電池は、前記ムーブメントよりも外周側において前記外装ケースの内壁と前記ムーブメントの側面との間に配置され、前記ムーブメントの全体を取り囲んでいる、請求項１に記載の電子時計。
【請求項３】
前記外装ケースで囲まれる内部空間の底部を覆う裏蓋と、
前記回路基板上の回路と前記電池の電極とを電気的に接続する端子と、
前記裏蓋に固定され、前記裏蓋側から前記端子を押圧して前記端子を前記回路と前記電極とに接触させる押付部材と、
をさらに有する、請求項２に記載の電子時計。
【請求項４】
前記回路基板上の回路と前記電池の電極とを電気的に接続する端子と、
前記ムーブメントに固定され、前記端子を押圧して前記端子を前記回路と前記電極とに接触させる弾性部材と、
をさらに有する、請求項２に記載の電子時計。
【請求項５】
前記外装ケース内に配置され、前記巻真を通すための溝部が形成され、前記ムーブメントに係合して前記ムーブメントの側面を覆う枠体と、
前記枠体の前記ムーブメントとの係合部と前記回路基板上の回路とをつなぐ端子と、をさらに有し、
前記電池は前記枠体の内部に埋め込まれ、
前記電池の電極は前記係合部に引き出され、
前記ムーブメントが前記枠体に係合されることで前記回路と前記電極とが電気的に接続される、請求項２に記載の電子時計。
【請求項６】
前記電池は弾性を有し、前記電子時計の厚さ方向に見たときにＣ字形状になるように前記ムーブメントの側面に巻き付けられ、内周面に電極を有し、
前記ムーブメントから取り外されたときの前記電池の内周面が作る円の直径は前記ムーブメントの外径よりも小さく、
前記電池が前記ムーブメントの側面に巻き付けられることで、前記電極が前記回路基板の側面に密着して、前記回路基板の回路と前記電極とが電気的に接続される、請求項２に記載の電子時計。
【請求項７】
前記外装ケースは、前記電子時計の側面と、時刻の表示面とは反対側の底面とを覆い、
前記電池は、さらに前記外装ケースの底面と前記ムーブメントの底面との間も覆っている、請求項２に記載の電子時計。
【請求項８】
前記外装ケースを貫通して前記ムーブメントの側方に突出し、使用者により押下される操作ボタンをさらに有し、
前記電池は、さらに前記ムーブメントの周方向における前記操作ボタンの位置を避けて配置されている、請求項１〜７のいずれか一項に記載の電子時計。
【発明の詳細な説明】
【技術分野】
【０００１】
本発明は、電子時計に関する。
【背景技術】
【０００２】
特許文献１には、ムーブメントの外周であってかつケース枠の内側に延出した上側環状部分の下に環状空間を形成し、そこに環状の電池を収納してなる電池駆動型時計が記載されている。
【０００３】
また、近年、電池の薄型化やフレキシブル化が求められており、ペーパ電池などの各種の薄型電池が開発されている。例えば、特許文献２には、電極群とこれを収容する外装体とを備え屈曲可能なフレキシブル電池が記載されている。
【先行技術文献】
【特許文献】
【０００４】
【特許文献１】実開昭５１−１３３６８号公報
【特許文献２】特開２０１６−７２０１５号公報
【発明の概要】
【発明が解決しようとする課題】
【０００５】
図１０（Ａ）および図１０（Ｂ）は、従来の電子時計のムーブメント２の模式的な平面図および断面図である。これらの図では、ムーブメント２の構成要素のうち、輪列１５、裏周り１６および電池２００を図示している。符号１５１は図示しない指針の回転軸（指針軸）を、符号１９は、使用者が手動で指針の位置などを調整するための操作軸（巻真、リューズ）を指す。輪列１５は、指針を回転させるための各種の歯車であり、裏周り１６は、使用者がリューズを引く操作を輪列１５に伝達するための機構である。電池２００は、ムーブメント２の電源となるボタン電池である。
【０００６】
アナログクオーツの腕時計では、ボタン電池が広く用いられており、ボタン電池は、電源供給を安定させるためにムーブメント内に配置される。一般に、ボタン電池は円柱形状を有し、その大きさや厚さは、ムーブメント内の時計部品の中で比較的大きい。また、図１０（Ａ）および図１０（Ｂ）に示すように、ムーブメントの中心には輪列１５が配置され、巻真１９の周囲には裏周り１６が配置される。このため、ムーブメント２の外径は輪列１５、裏周り１６および電池２００の大きさで決まり、ムーブメント２の厚さは電池２００の厚さで決まる。輪列１５や裏周り１６、巻真１９の大きさや位置は時計の構造上、変更しにくいため、電子時計の小型化、薄型化のためには、電池を小型化、薄型化するとともに、これらの部材を避けて電池を配置する必要がある。
【０００７】
本発明は、ボタン電池を用いる場合と比べて電子時計のムーブメントを小型化かつ薄型化することを目的とする。
【課題を解決するための手段】
【０００８】
外装ケースと、時刻を計時するための回路基板および側方に突出する巻真を含み、外装ケース内に配置されたムーブメントと、ムーブメントを駆動する電池とを有し、電池は、外装ケースの内壁に沿って延びる薄板形状を有し、ムーブメントの周方向における巻真の位置を避けて外装ケース内でムーブメントの中心を取り囲むように配置されていることを特徴とする電子時計が提供される。
【０００９】
電池は、ムーブメントよりも外周側において外装ケースの内壁とムーブメントの側面との間に配置され、ムーブメントの全体を取り囲んでいることが好ましい。
【００１０】
電子時計は、外装ケースで囲まれる内部空間の底部を覆う裏蓋と、回路基板上の回路と電池の電極とを電気的に接続する端子と、裏蓋に固定され、裏蓋側から端子を押圧して端子を回路と電極とに接触させる押付部材とをさらに有することが好ましい。
【００１１】
電子時計は、回路基板上の回路と電池の電極とを電気的に接続する端子と、ムーブメントに固定され、端子を押圧して端子を回路と電極とに接触させる弾性部材とをさらに有することが好ましい。
【００１２】
電子時計は、外装ケース内に配置され、巻真を通すための溝部が形成され、ムーブメントに係合してムーブメントの側面を覆う枠体と、枠体のムーブメントとの係合部と回路基板上の回路とをつなぐ端子とをさらに有し、電池は枠体の内部に埋め込まれ、電池の電極は係合部に引き出され、ムーブメントが枠体に係合されることで回路と電極とが電気的に接続されることが好ましい。
【００１３】
電池は弾性を有し、電子時計の厚さ方向に見たときにＣ字形状になるようにムーブメントの側面に巻き付けられ、内周面に電極を有し、ムーブメントから取り外されたときの電池の内周面が作る円の直径はムーブメントの外径よりも小さく、電池がムーブメントの側面に巻き付けられることで、電極が回路基板の側面に密着して、回路基板の回路と電極とが電気的に接続されることが好ましい。
【００１４】
外装ケースは、電子時計の側面と、時刻の表示面とは反対側の底面とを覆い、電池は、さらに外装ケースの底面とムーブメントの底面との間も覆っていることが好ましい。
【００１５】
電子時計は、外装ケースを貫通してムーブメントの側方に突出し、使用者により押下される操作ボタンをさらに有し、電池は、さらにムーブメントの周方向における操作ボタンの位置を避けて配置されていることが好ましい。
【発明の効果】
【００１６】
上記の電子時計によれば、ボタン電池を用いる場合と比べてムーブメントが小型かつ薄型になる。
【図面の簡単な説明】
【００１７】
【図１】電子時計１の平面図および部分断面図である。
【図２】電池２０の形状を示す平面図および斜視図である。
【図３】電池２０と回路基板１１との接続形態の別の例を示す部分断面図である。
【図４】電池２０と回路基板１１との接続形態の別の例を示す部分断面図および斜視図である。
【図５】電池２０’の平面図および斜視図、ならびに電池２０’と回路基板１１との接続部分の断面図である。
【図６】電子時計１Ｃの平面図および部分断面図である。
【図７】電池２０Ｃの斜視図である。
【図８】電子時計１Ｄの模式的な平面図である。
【図９】電子時計１Ｅの分解斜視図およびその電池２０Ｅの斜視図である。
【図１０】従来の電子時計のムーブメント２の模式的な平面図および断面図である。
【発明を実施するための形態】
【００１８】
以下、図面を参照しつつ、電子時計について説明する。ただし、本発明は図面または以下に記載される実施形態には限定されないことを理解されたい。
【００１９】
図１（Ａ）および図１（Ｂ）は、電子時計１の平面図および部分断面図である。電子時計１は、主要な構成部品として、ムーブメント１０、電池２０、外装ケース３０、裏蓋３５、文字板５０、風防ガラス７０およびアンテナ８０を有する。図１（Ａ）は電子時計１を裏蓋３５側から見た平面図であり、内部構造が分かるように、裏蓋３５が透明であるとして図示している。図１（Ｂ）は、図１（Ａ）のＩＢ−ＩＢ線に沿った電子時計１の切断面を示す。以下では、電子時計がアナログの腕時計である場合の例を説明するが、電子時計は腕時計に限らず置き時計などでもよいし、デジタル時計でもよい。
【００２０】
外装ケース３０は、図示した例では平面視で円形であり、円筒形の内部空間を有する。裏蓋３５は、外装ケース３０で囲まれる電子時計１の内部空間の底部を覆う部材である。文字板５０および風防ガラス７０は、ムーブメント１０を挟んで裏蓋３５とは反対側に配置されており、これらも裏蓋３５とともに平面視で円形である。ただし、外装ケース３０や裏蓋３５、文字板５０、風防ガラス７０の形状は、電子時計のデザインによっては４角形などの他の形状でもよい。アンテナ８０は、ＧＰＳ（Global Positioning System：全地球測位システム）などの衛星電波、標準電波またはその他の無線電波を受信する。電子時計１はアンテナ８０により時刻情報を受信して現在時刻を設定可能な電波時計であるが、アンテナ８０は必須の部品ではなく、電波の受信機能はなくてもよい。
【００２１】
ムーブメント１０は、機械的な部品と電気的な部品を含む電子時計１の駆動機構であり、外装ケース３０内に配置されている。ムーブメント１０は、回路基板１１、回路押さえ１２および地板１３、ならびに図示しない指針を駆動するためのモータや輪列などで構成され、それらが組み込まれユニット化された部品である。ムーブメント１０の形状は、図示した例では概ね円柱状であるが、それには限定されない。
【００２２】
回路基板１１は、時刻を計時するための図示しない回路が搭載された基板である。図１（Ａ）では回路押さえ１２に隠れてほとんど見えないが、回路基板１１は概ね円板形状を有し、ムーブメント１０の裏蓋３５側の面（底面）をほぼ覆うように地板１３の底面に固定されている。回路押さえ１２は、回路基板１１を固定するために回路基板１１の上（裏蓋３５側）に配置された金属板であり、回路基板１１を間に挟んで地板１３の底面にねじ止めされている。地板１３は、内部にモータや輪列などの駆動部品が組み込まれるムーブメント１０の本体部分である。実際には、地板１３には様々な凹凸が形成されているが、それらを無視すれば地板１３は概ね円板形状を有する。
【００２３】
操作ボタン１８は、時刻の設定や電子時計１の様々な付加機能を実行するために使用者により押下される操作部であり、ムーブメント１０の側面から突出して外装ケース３０の側壁を貫通している。図１（Ａ）では外装ケース３０に隠れて見えないが、操作ボタン１８の先端部は電子時計１の外側に露出している。巻真（リューズ）１９は、手動で指針の位置などを調整するために使用者により回される操作軸であり、操作ボタン１８と同様にムーブメント１０の側面から突出して外装ケース３０の側壁を貫通し、その先端部は電子時計１の外側に露出している。操作ボタン１８と巻真１９は、図示した例ではムーブメント１０の周方向に３０度程度離れているが、両者の位置関係は図示したものとは異なっていてもよい。
【００２４】
図２（Ａ）および図２（Ｂ）は、電池２０の形状を示す平面図および斜視図である。図２（Ａ）は、図１（Ａ）と同じ裏蓋３５側から見た電子時計１の平面図において、さらに外装ケース３０の図示を省略したものである。
【００２５】
電池２０は、ムーブメント１０を駆動する電子時計１の電源であり、外装ケース３０の内壁に沿って延びる薄板形状を有する。電池２０は、例えば、正極と負極の間の電解質層が薄膜状に形成され、その電極と電解質層が可撓性の外装体に収容されたフレキシブル電池である。あるいは、電池２０は、公知の全固体電池やポリマー電池で薄型に構成されたものでもよいが、Ｃ字形状に変形できるように可撓性を有することが好ましい。電子時計１の径方向における電池２０の厚さは、電子時計１の厚さ方向における電池２０の幅よりも小さいことが好ましい。
【００２６】
電池２０は、外装ケース３０の内壁とムーブメント１０の側面との間に配置され、ムーブメント１０の周方向における操作ボタン１８および巻真１９の位置を除いて、ムーブメント１０のほぼ全体（中心角で言うと３３０度程度）を取り囲んでいる。すなわち、電池２０は、外装ケース３０とムーブメント１０との間の空間を貫通する操作ボタン１８および巻真１９を避けてムーブメント１０の外周にＣ字形状に巻かれており、ムーブメント１０の側面を覆っている。
【００２７】
図示した例とは異なり、操作ボタン１８と巻真（リューズ）１９とがムーブメント１０の周方向に離れている場合には、電池２０として複数の薄型電池をムーブメント１０の外周に弧状に配置し、それらを互いに直列接続してもよい。
【００２８】
符号２１，２２は、電池２０の電極（正極と負極）を指す。電極２１，２２は、例えば、Ｃ字形状の電池２０の両端部における内周面、外周面、両端面または底面（裏蓋３５側の面）のうちのどこにあってもよい。図１（Ａ）〜図２（Ｂ）では、電池２０の両端部の全体（内周面、外周面、両端面および底面）が電極２１，２２であるように簡略化している。
【００２９】
回路基板１１上の回路と電池２０の電極２１，２２とは、図１（Ａ）および図１（Ｂ）に示す端子１１１，１１２により電気的に接続されている。図示した例では、端子１１１，１１２の接続用に回路押さえ１２の２箇所が切り欠かれており、回路基板１１はその位置で裏蓋３５側に露出している。端子１１１，１１２は細長い板状の導通部材であり、回路基板１１の露出箇所において端子１１１は電極２１に向けて、端子１１２は電極２２に向けて、それぞれムーブメント１０の径方向に延びている。
【００３０】
端子１１１，１１２は、裏蓋３５の内側表面に固定された押付部材３６により裏蓋３５側から押圧されて、回路基板１１上の回路と電池２０の電極２１，２２とにそれぞれ接触している。押付部材３６は、裏蓋３５よりも直径が小さい中心部分と、その外周部から回路基板１１に向けて電子時計１の厚さ方向に斜めに延びる２本の腕部３６１，３６２とを有する。腕部３６１，３６２は、板ばねなどの弾性体であり、それぞれ端子１１１，１１２を回路基板１１と電池２０の両方に押し付ける。ムーブメント１０を外装ケース３０内に組み込んだ後で、電池２０を外装ケース３０内に収め、端子１１１，１１２を腕部３６１，３６２で押さえることで、回路基板１１と電池２０との電気的な接続が確保される。電極２１，２２の間で短絡が生じないように、腕部３６１，３６２かまたは端子１１１，１１２の裏蓋３５側の表面は、絶縁体で構成される。
【００３１】
図３（Ａ）〜図４（Ｂ）は、電池２０と回路基板１１との接続形態の別の例を示す部分断面図および斜視図である。これらの図では、互いに異なる４つの例を示している。電池２０と回路基板１１とを電気的に接続させるためには、押付部材３６を用いる上記の形態に代えて、これらのいずれかを採用してもよい。
【００３２】
図３（Ａ）に示す電子時計１Ａは、端子１１１，１１２を固定する部材が図１（Ａ）の押付部材３６から板ばね１２Ａに置き換えられている点が電子時計１とは異なり、その他の点では電子時計１と同じ構成を有する。図３（Ａ）では、図１（Ｂ）と同様に、回路基板１１と電極２２とを電気的に接続する端子１１２の部分における電子時計１Ａの切断面を示している。板ばね１２Ａは、回路基板１１の裏蓋３５側の面に固定され、端子１１２を回路基板１１との間に挟んで回路基板１１上の回路と電池２０の電極２２とに接触させる。板ばね１２Ａは、ムーブメント１０に固定された弾性部材の一例であり、図１（Ｂ）の回路押さえ１２と一体化されていてもよいし、回路押さえ１２とは別の部材で回路押さえ１２に固定されたものでもよい。
【００３３】
図３（Ｂ）に示す例では、回路基板１１の少なくとも一部が地板１３よりも外周側に突出している。地板１３の側面には、先端部が地板１３の外周側に突出した板ばね１７Ａ（弾性部材の別の例）が固定されている。板ばね１７Ａの先端部は、図３（Ｂ）の上側（裏蓋３５側）に向けて付勢されており、回路基板１１の突出部における下側（文字板５０側）に差し込まれた端子１１２を回路基板１１との間で挟んで回路基板１１上の回路に接触させる。端子１１２は、回路基板１１の突出部よりも外周側に突出しており、板ばね１７Ａによって固定されることで、外周側の先端部で電池２０の電極２２の上側（裏蓋３５側）に接触する。図３（Ｂ）では、電池２０の端部の内周面における厚さ方向の全体が電極２２であるとして図示している。
【００３４】
図示しないが、図３（Ａ）および図３（Ｂ）の例では、回路基板１１と電極２１とを電気的に接続する端子１１１の部分の切断面も、図示した端子１１２の部分の切断面と同様である。これらの例では、ムーブメント１０を外装ケース３０内に組み込んだ後で、電池２０を外装ケース３０内に収め、端子１１１，１１２を回路基板１１と板ばね１２Ａ，１７Ａとの間に差し込むことで、回路基板１１と電池２０との電気的な接続が確保される。図１（Ａ）〜図３（Ｂ）に示す形態は、電池２０の底面（裏蓋３５側の面）に電極２１，２２がある場合に適している。
【００３５】
図４（Ａ）に示す電子時計１Ｂは、図１（Ａ）の押付部材３６が省略され、端子１１２が端子１１２Ｂに、端子１１１が端子１１２Ｂと同様のもの（図示せず）にそれぞれ置き換えられている点が電子時計１とは異なり、その他の点では電子時計１と同じ構成を有する。図４（Ａ）では、回路基板１１と電極２２とを電気的に接続する端子１１２Ｂの部分における電子時計１Ｂの切断面を示しているが、外装ケース３０と風防ガラス７０の図示を省略している。
【００３６】
端子１１２Ｂは回路基板１１と回路押さえ１２との間に挟まれ、その外周側の先端部は、回路基板１１と回路押さえ１２の端部で文字板５０側に折り曲げられている。端子１１２Ｂは板ばねなどの弾性体であり、その先端部は外周側（図４（Ａ）の左側）に向けて付勢され、電池２０の電極２２の側面に接触している。端子１１２Ｂの先端部は、地板１３の切欠き部１３１内を図４（Ａ）の左右（ムーブメント１０の径方向）に移動可能である。図４（Ａ）に示す例では、端子１１２Ｂともう１つの端子はムーブメント１０に予め設けられており、ムーブメント１０を外装ケース３０内に組み込んだ後で電池２０を外装ケース３０内に収めるだけで、回路基板１１と電池２０との電気的な接続が確保される。図４（Ａ）の形態は、電池２０の内周面に電極２１，２２がある場合に適している。
【００３７】
符号４０，４５は、それぞれ、ムーブメント１０と文字板５０の間に配置されたソーラセルおよび日車を指す。ソーラセル４０と日車４５は、図１（Ｂ）と図３（Ｂ）では図示されていないが、電子時計１，１Ａにも含まれていてもよい。電池２０は、１次電池に限らず、ソーラセル４０によって充電される２次電池でもよい。
【００３８】
図４（Ｂ）に示す例では、巻真１９の周囲における回路基板１１の端部が径方向の内側に切り欠かれ、矩形の凹部１１３が形成されている。径方向（巻真１９とほぼ同じ方向）に延びる凹部１１３の２つの側壁には、凹部１１３内にねじ１７１で留められた板ばね１７Ｂ（弾性部材の別の例）で、細長い板状の端子１１１，１１２がそれぞれ押し当てられている。端子１１１，１１２の先端部は、回路基板１１よりも外周側に突出し、電池２０の周方向の両端面に形成された電極２１，２２にそれぞれ接触している。ムーブメント１０の周方向における電池２０および凹部１１３の長さは、電池２０の端面（電極２１，２２）と凹部１１３の側壁とがそれぞれ同一面になるように調整されている。
【００３９】
この例では、ムーブメント１０を外装ケース３０内に組み込んだ後で、電池２０を外装ケース３０内に収め、端子１１１，１１２を凹部１１３の側壁と板ばね１７Ｂとの間に挟んで固定することで、回路基板１１と電池２０との電気的な接続が確保される。図４（Ｂ）の形態は、電池２０の両端面に電極２１，２２がある場合に適している。
【００４０】
図５（Ａ）〜図５（Ｃ）は、電池２０’の平面図および斜視図、ならびに電池２０’と回路基板１１との接続部分の断面図である。電池２０’は、電池２０と同様に可撓性がある薄板形状のものであり、外装ケース３０内に収納されるが、それ自体が弾性を有する点が電池２０とは異なる。すなわち、電池２０’の外装体は、ゴムなどの弾性体で構成されている。電池２０’は、図５（Ｂ）に示すように、両端部の内周面に電極２１，２２を有する。この場合、弾性を有する部分は、電池２０’の全体でもよいし、電極２１，２２を含む両端部２３，２４だけでもよい。
【００４１】
電池２０’は、ムーブメント１０に装着されていない単体の状態でもＣ字形状を保っているが、単体の状態で内周面が作る円の直径（Ｃ字形状の内径）は、ムーブメント１０の外径よりも小さい。このため、電池２０’のＣ字形状が広げられてムーブメント１０の側面に巻き付けられたときには、両端部２３，２４にムーブメント１０の中心方向に向かう復元力が働き、電池２０’の内周面はムーブメント１０の側面に押し付けられる。回路基板１１の側面に導体部を形成しておけば、電池２０’をムーブメント１０の側面に巻き付けるだけで、符号Ｘで示す部分において電極２１，２２が回路基板１１の側面の導体部に密着して、回路基板１１上の回路と電極２１，２２とが電気的に接続される。
【００４２】
図６（Ａ）および図６（Ｂ）は、電子時計１Ｃの平面図および部分断面図である。電子時計１Ｃは、図１（Ａ）の押付部材３６が省略され、電池２０が電池２０Ｃに、端子１１２が端子１１２Ｃに、端子１１１が端子１１２Ｃと同様のもの（図示せず）にそれぞれ置き換えられている点が電子時計１とは異なり、その他の点では電子時計１と同じ構成を有する。図６（Ａ）では、図１（Ａ）と同様に、電子時計１Ｃの裏蓋３５側の面を裏蓋３５が透明であるとして図示している。図６（Ｂ）は、図６（Ａ）のＶＩＢ−ＶＩＢ線に沿った電子時計１Ｃの切断面を示す。
【００４３】
図７は、電池２０Ｃの斜視図である。電池２０Ｃは、ムーブメント１０の外周部に係合してムーブメント１０の側面を覆う中枠と同じ形状を有し薄型電池を内蔵する電池ユニット（中枠と電池が一体化したもの）であり、薄型電池が内部に埋め込まれた枠体の一例である。電池２０Ｃは、例えば樹脂成形により作成され、４つの係合部２５と２つの溝部２６，２６’を有し、外装ケース３０の内壁に沿って配置される。係合部２５は、ムーブメント１０に対して係合する部分であり、周方向における４箇所に配置され、それぞれフック（鉤型）の形状を有する。溝部２６，２６’は、それぞれ、巻真１９および操作ボタン１８を通すためのものである。電池２０Ｃは、溝部２６，２６’の部分でも幅（図７の縦方向の長さ）が小さい連結部２７，２７’を残して周方向に連結されており、全体として円形である。
【００４４】
電池２０Ｃが内蔵する薄型電池は１つでも複数でもよく、それらは可撓性のないものでもよい。例えば、係合部２５同士の間や係合部２５と溝部２６，２６’との間にそれぞれ薄型電池を配置し、それらを電池２０Ｃの内部で互いに直列接続してもよい。
【００４５】
電池２０Ｃの電極（正極と負極）は、４つの係合部２５のうちの２つに引き出され、係合部２５におけるフックの先端面に設けられている。例えば、図６（Ｂ）では、一方の電極２２が引き出された係合部２５を含む切断面を示している。電池２０Ｃでは、係合部２５は、ムーブメント１０との機械的な接続部分であるとともに、電気的な接続部分を兼ねている。ムーブメント１０側では、図６（Ｂ）に示すように、回路基板１１から係合部２５の電極に向けて端子１１２Ｃが延びている。ムーブメント１０を電池２０Ｃに係合させることで、端子１１２Ｃを介して回路基板１１上の回路と電池２０Ｃの電極とが電気的に接続される。端子１１２Ｃの代わりに地板１３に配線パターンを形成し、それを介して回路基板１１と電池２０Ｃとを電気的に接続してもよい。
【００４６】
電子時計１，１Ａ〜１Ｃでは、ムーブメント１０内に電池が配置されないので、内部にボタン電池を含む図１０（Ａ）のムーブメント２と比べて、ムーブメント１０を小型化かつ薄型化することができる。また、特に電子時計１，１Ａ，１Ｂでは、電池２０の円周方向の長さや、径方向の厚さ、電子時計の厚さ方向における電池２０の幅にある程度の自由度がある。このため、同じムーブメント１０に対して様々な形状および大きさの電池を用意し、複数種類の薄型電池の中から長寿命のものや安価なものなどを適宜選択して使用することができる。
【００４７】
図８は、電子時計１Ｄの模式的な平面図である。電子時計１Ｄのムーブメントは外周に円形の中枠１４を有し、電子時計１Ｄでは、外装ケース３０内の中枠１４よりも中心側において、薄型の電池２０がＣ字形状に配置されている。電池２０は、ムーブメントの中心にある図示しないモータや輪列を取り囲むように、回路基板の外周部に組み込まれている。電子時計１Ｄでは、リューズ３２の周方向における両隣に操作ボタン３１，３１’がそれぞれ設けられており、符号１８，１８’は、操作ボタン３１，３１’の外装ケース３０内への突出部を指す。電子時計１Ｄでも、電池２０は、ムーブメントの周方向における操作ボタン１８，１８’および巻真１９の位置を除いて、３００度程度の円弧状に配置されている。
【００４８】
このように、径方向における電池の配置位置は、ムーブメントの外側に限らず内側であってもよい。中枠１４よりも中心側に電池２０があっても、電子時計１Ｄの径方向および厚さ方向の長さがボタン電池の直径および厚さよりもそれぞれ小さければ、電子時計１Ｄのムーブメントを図１０（Ａ）のムーブメント２と比べて小型かつ薄型にすることができる。
【００４９】
図９（Ａ）および図９（Ｂ）は、電子時計１Ｅの分解斜視図およびその電池２０Ｅの斜視図である。電子時計１Ｅは、ムーブメント１０、電池２０Ｅ、外装ケース３０Ｅ、文字板５０、ベゼル６０および風防ガラス７０を有する。外装ケース３０Ｅは、上記の外装ケース３０と裏蓋３５とが一体化されたものであり、円筒形の側壁（電子時計１Ｅの側面）だけでなく、風防ガラス７０（時刻の表示面）とは反対側の底面も覆っている。電子時計１Ｅは、取り外し可能な裏蓋がなく、風防ガラス７０側から各部品が外装ケース３０Ｅ内に組み込まれるモデルである。
【００５０】
電池２０Ｅは、ムーブメント１０と外装ケース３０Ｅの間に配置されるが、ムーブメント１０の側面を覆うＣ字形状の側壁に加えて円板形状の底面２８を有し、外装ケース３０Ｅの底面とムーブメント１０の底面との間も覆っている。符号２６は操作ボタン１８および巻真１９を通すための溝部を指し、この部分における電池２０Ｅの側壁（符号２７）の高さ（図９（Ｂ）の縦方向の長さ）は、他の部分と比べて低くなっている。溝部２６の両端における符号２１，２２の部分は、電池２０Ｅの電極（正極と負極）である。このように、電池はＣ字形状のものに限らず、底面２８がある桶形状のものでもよい。
【００５１】
電子時計１，１Ａ，１Ｂの電池２０も、図９（Ｂ）に示した形状で、符号２８の部分が底面ではなく開放されているものでもよい。すなわち、電池２０もＣ字形状のものに限らず、円形の枠体であって操作ボタン１８および巻真１９を通すための溝部２６が形成され、その部分（符号２７）の幅（図９（Ｂ）の縦方向の長さ）が他の部分と比べて小さいものでもよい。
【符号の説明】
【００５２】
１，１Ａ，１Ｂ，１Ｃ，１Ｄ，１Ｅ    電子時計
１０    ムーブメント
１１    回路基板
１１１，１１２，１１２Ｂ，１１２Ｃ    端子
１２    回路押さえ
１３    地板
１４    中枠
１８，１８’    操作ボタン
１９    巻真
２０，２０’，２０Ｃ，２０Ｅ    電池
２１，２２    電極
３０，３０Ｅ    外装ケース
３５    裏蓋
【図１】
2020134141.tif 000003
【図２】
2020134141.tif 000004
【図３】
2020134141.tif 000005
【図４】
2020134141.tif 000006
【図５】
2020134141.tif 000007
【図６】
2020134141.tif 000008
【図７】
2020134141.tif 000009
【図８】
2020134141.tif 000010
【図９】
2020134141.tif 000011
【図１０】
2020134141.tif 000012